(57)【要約】      （修正有）【課題】  粘性食品を収容する容器を倒立状態に維持し、粘性食品の抽出をスムースに行ない、ま容器本体内に不純物が進入するのを防止でき、併せて容器本体内に一部食品が残留しても、これを全量外部に押し出すことができる粘性食品用容器を提供すること。【解決手段】  マヨネーズ、ケチャップ等の粘性食品Ｓを収容する容器本体２に着脱自在に装着したスタンド３と、容器本体は袋体５と、袋体の先端部中央に一体に連設した食品抽出部４と、同じく袋体から垂設されて食品抽出部の外側に配設されたシール片６とを備え、スタンドは逆碗状のハカマ７と、ハカマの中央に形成されて食品抽出部に着脱自在に結合するキャップ８と、ハカマ７の中央に形成されてキャップの上方に起立する環状リブ９とを有し、容器本体をキャップを介してスタンドに装着させながら食品抽出部を下向きに倒立させ、且つシール片９を環状リップ９の外周に当接させる。【選択図】  図１
2006224970.tif 000002
【特許請求の範囲】
【請求項１】
マヨネーズ、ケチャップその他の粘性食品Ｓを収容する容器本体２と、容器本体２に着脱自在に装着したスタンド３とからなり、容器本体２は食品を収容する袋体５と、袋体５の先端部中央に一体に連設した食品抽出部４と、同じく袋体５から垂設されて食品抽出部４の外側に配設されたシール片６とを備え、上記スタンド３は逆碗状のハカマ７と、ハカマ７の中央に形成されて上記食品抽出部４に着脱自在に結合するキャップ８と、ハカマ７の中央に形成されて上記キャップ８の上方に起立する環状リブ９とを有し、容器本体２をキャップ８を介してスタンド３に装着させながら食品抽出部４を下向きにして倒立させ、且つシール片９を環状リップ９の外周に当接させることを特徴とする粘性食品用容器
【請求項２】
袋体５の基端部１４を扁平に成形し、当該基端部１４から絞り部材１１を挿入して先端側に向けてスライドさせ又は袋体５を巻き付けることにより粘性食品を押し出すようにしている請求項１に記載の粘性食品用容器
【請求項３】
絞り部材１１が長方体状の枠体１２と、枠体１２の中央に形成したガイド孔１６と、ガイド孔１６の入り口側端部に形成したラッパ型の傾斜面１３とで構成されている請求項２に記載の粘性食品用容器
【発明の詳細な説明】
【技術分野】
【０００１】
本発明は、マヨネーズ、ケチャップその他の粘性食品を収容する容器に関し、特に、粘性食品の一部が内部に残留することなくスムースに抽出され、無駄なく使用できる粘性食品用容器に関する。
【背景技術】
【０００２】
従来、マヨネーズ 、ケチャップなどの粘性食品は、柔軟な合成樹脂製チューブに入った状態で市販されているが、このような粘性食品は、流動性に劣る為、例えば、マヨネーズを外部に取り出して使用する場合、チューブを手で握り締め、先端の注出口から適量を絞り出している。
【０００３】
チューブ内にマヨネーズ が多量にある間は、この方法で何ら支障なく中身を絞り出すことができるが、チューブ内のマヨネーズ 残量が少なくなると、チューブの底部に片寄ったり、チューブの内面全体に薄く分散した状態となり、このチューブ内に残留した一部のマヨネーズを取り出すのが困難となる。
【０００４】
この為、例えば、特許文献１に示すように、チューブを逆さまに立てることができる補助器具が従来より広く使用されている。
【０００５】
この補助器具は、チューブ内のマヨネーズ をを自重によって注出口付近に寄せ集め、キャップを外した時すぐ外部に押し出すことが出来る様にしたものであるから、マヨネーズ等の粘性食品の残留を防止し、無駄をなくすことが出来る。
【特許文献１】実開平７−８２４３号公報（図面  要約参照）
【発明の開示】
【発明が解決しようとする課題】
【０００６】
しかしながら、上記従来の補助器具は、キャップの端部に板状の倒立補助片を水平に取り付けただけの為、強度が弱く、不安定であり、内部のマヨネーズ等が満杯であったり、それに近い場合はチューブ側が重いため転倒してしまう不具合がある。
【０００７】
又、使用中にこの倒立補助片が変形したり、破損したり、欠損してしまい用を為さなくなる場合がある。
【０００８】
さらに、仮にこの倒立補助片を使用してチューブを逆さに立てかけておく事が出来たとしても、冷蔵庫内に収容しておいた時にチューブ外周に結露した水滴がキャップ方向に流下し、これが汚れを巻き込んだままキャップ内周の隙間からチュウーブ内に進入し、マヨネーズ等の食品に混入する恐れがある。
【０００９】
そこで、本発明の目的は、粘性食品を収容する容器本体を常に安定して倒立状態で立てかけておいて粘性食品の抽出をスムースに行なうことができ、また、倒立状態，成立状態にかかわらず容器本体内に不純物が進入するのを防止でき、併せて仮に容器本体内に一部粘性食品が残留していても、これを全量外部に押し出すことができる粘性食品用容器を提供することである。
【課題を解決するための手段】
【００１０】
上記の目的を達成する為、本発明の手段は、マヨネーズ、ケチャップその他の粘性食品を収容する容器本体と、容器本体に着脱自在に装着したスタンドとからなり、容器本体は食品を収容する袋体と、袋体の先端部中央に一体に連設した食品抽出部と、同じく袋体から垂設されて食品抽出部の外側に配設されたシール片とを備え、上記スタンドは逆碗状のハカマと、ハカマの中央に形成されて上記食品抽出部に着脱自在に結合するキャップと、ハカマの中央に形成されて上記キャップの上方に起立する環状リブとを有し、容器本体をキャップを介してスタンドに装着させながら食品抽出部を下向きにして倒立させ、且つシール片を環状リップの外周に当接させることを特徴とする。
【００１１】
この場合、袋体の基端部を扁平に成形し、当該基端部から絞り部材を挿入して先端側に向けてスライドさせ又は袋体を巻き付けることにより粘性食品を押し出すようにしても良い。
【００１２】
この場合、絞り部材が長方体状の枠体と、枠体の中央に形成したガイド孔と、ガイド孔の入り口側端部に形成したラッパ型の傾斜面とで構成されていても良い。
【発明の効果】
【００１３】
各請求項１，２，３の発明によれば、スタンドが逆碗状に形成され、中央にキャップを設けているから、スタンド自体が強度を有し且つ安定して起立しているから、容器本体側が重かったりその容積が大きくてもこの容器本体が転倒するのを防止する。
【００１４】
更に、シール片がキャップの入り口を密封しているから結露水やその他の不純物が容器本体内に進入するのを防止する。
【００１５】
請求項２，３の発明によれば、ガイドがスライドしたり、容器本体を巻き付けた時に内部の残留した粘性食品を絞り出す為、食品の無駄を防止できる。
【発明を実施するための最良の形態】
【００１６】
以下、本発明の一実施の形態を図１，図２に基づいて説明するが、本発明の粘性食品用容器１は、マヨネーズ、ケチャップその他の粘性食品Ｓを収容する容器本体２と、容器本体２に着脱自在に装着したスタンド３とからなっている。
【００１７】
容器本体２は、食品を収容する袋体５と、袋体５の先端部中央に一体に連設した食品抽出部４と、同じく袋体５から垂設されて食品抽出部４の外側に配設されたシール片６とを備えている。
【００１８】
上記スタンド３は、平面から見て楕円状に成形された逆碗状のハカマ７と、ハカマ７の中央に形成されて上記食品抽出部４にねじ１５を介して着脱自在に結合するキャップ８と、ハカマ７の中央に形成されて上記キャップ８の上方に起立する環状リブ９とを有している。
【００１９】
そして、容器本体２をキャップ８を介してスタンド３に装着させながら食品抽出部４を下向きにして倒立させ、且つシール片９を環状リップ９の外周に当接させテいる。
【００２０】
更に、袋体５の基端部１４を扁平に成形し、当該基端部１４から絞り部材１１を挿入して先端側に向けてスライドさせることにより粘性食品を押し出すようにしている。
【００２１】
この場合、絞り部材１１が長方体状の枠体１２と、枠体１２の中央に形成したガイド孔１６と、ガイド孔１６の入り口側端部に形成したラッパ型の傾斜面１３とで構成されている。
【００２２】
ハカマ７は、平面から見て円形、矩形、多角形でも良く、厚肉の板体でも使用可能である。
【００２３】
キャップ８に対して食品抽出部４をねじ結合しているが、単なる圧入であっても良い。シール片９や環状リブ９は、なくても使用可能である。
【００２４】
絞り部材１１は、袋体５に挿入した後、当該袋体５を巻き込みながら粘性食品Ｓを下方に向けて絞り込むようにしても良い。
【００２５】
スタンド３とは最初から袋体５に装着した状態で一体にして市販しても良いが、スタンド３だけ別売りとし、食品メーカーの粘性食品用容器１に合わせていろいろなキャップ８の形状に成形しても良い。
【００２６】
従って、スタンド３だけ用意しておけば、このスタンド３は何度でも繰り返し使用できる。
【００２７】
同様に、絞り部材１１も単独で購入しておけば、何度でも繰り返し使用できる。この為、各メーカーは粘性食品Ｓを充填した粘性食品用容器１を単独で販売してもよく、又は粘性食品用容器１とスタンド３と絞り部材１１を組み合わせた状態でワンパックにして販売することも可能である。
【００２８】
本発明では、袋体５にスタンド３を取付けているので、このスタンド３を食台上、冷蔵庫の仕切板状におくことにより、常に袋体５を倒立状態で立てかけて置くことができ、その結果粘性食品Ｓが自重で袋体５内を下降し、食品抽出部４の位置に溜まり、キャップ８を外すことにより直ぐマヨネーズ等の粘性食品Ｓを取り出すことができる。
【００２９】
又、仮に一部マヨネーズ等の一部が袋体５の内壁に付着して残留していても、絞り部材１１を下方にスライドして袋体５を絞ることにより、この残留している粘性食品Ｓを食品抽出部４方向に送り出すことが出来る。
【００３０】
食品抽出部４内に粘性食品Ｓが溜まっていても、シール片９で外部からの結露水、その他の不純物の浸入が阻止され、衛生的である。
【図面の簡単な説明】
【００３１】
【図１】本発明の一実施の形態に係る粘性食品用容器の斜視図である。
【図２】図１の縦断正面図である。
【符号の説明】
【００３２】
Ｓ  粘性食品
１  粘性食品用容器
２  容器本体
３  スタンド
４  食品抽出部
５  袋体
６  シール片
７  ハカマ
８  キャップ
９  環状リブ
１１  絞り部材
１２  枠体
１３  傾斜面
１４  基端部
１６  ガイド孔
【図１】
2006224970.tif 000003
【図２】
2006224970.tif 000004